(57)【要約】【課題】熱交換コア部の体格確保と振動抑制とが図れる熱交換器の固定装置および熱交換器を提供する。【解決手段】熱交換器の固定装置は、サイドプレート３と設置側部材６とを連結するブラケット４と、サイドプレート３および設置側部材６をブラケット４によって挟んで固定するボルト５と、を備える。内側支持部４３は、主体部４０から熱交換器側に突出し、サイドプレート３の一対の突出片部３１，３２の間に介在した状態で一対の突出片部を内側から支持する。第１外側支持部４１は、主体部４０から熱交換器側に突出し、突出片部３１を外側から押さえる。第２外側支持部４２は、第１外側支持部４１に対して間隔をあけて対向し、設置側部材６の一部を外側から押さえる。中間支持部４４は、主体部４０から熱交換器側に突出し、第２外側支持部４２とで設置側部材６の一部を挟んでいる。【選択図】図５
2018197635.tif 000002
【特許請求の範囲】
【請求項１】
熱交換器（１;２０１）の端部に設けられたプレート状部材（３）と設置側部材（６）とを連結するブラケット（４;２０４）と、前記プレート状部材および前記設置側部材を前記ブラケットによって挟んで固定する挟持部材（５;１０５）と、を備え
前記ブラケットは、
主体部（４０;２４０）と、
前記主体部から前記熱交換器側に突出する支持部であって、前記プレート状部材において間隔をあけて対向するように外方に突出する一対の突出片部（３１，３２）の間に介在した状態で一対の前記突出片部を内側から支持する内側支持部（４３;２４３）と、
前記主体部から前記熱交換器側に突出する支持部であって、一対の前記突出片部のうち一方を外側から押さえる第１外側支持部（４１;２４１）と、
前記第１外側支持部に対して間隔をあけて対向するように前記主体部から前記熱交換器側に突出する支持部であって、前記設置側部材の一部を外側から押さえる第２外側支持部（４２;２４２）と、
前記主体部から前記熱交換器側に突出する支持部であって、前記第２外側支持部とで前記設置側部材の一部を挟む中間支持部（４４;２４４）と、
を有し、
前記挟持部材が前記第１外側支持部と前記第２外側支持部を互いに接近する方向に締め付けた状態で、前記第１外側支持部と前記第２外側支持部は、一対の前記突出片部のうち前記一方および前記設置側部材の一部を外側から押さえて挟んでいる熱交換器の固定装置。
【請求項２】
前記内側支持部は、前記第１外側支持部と前記第２外側支持部とが対向する方向について前記第１外側支持部と重ならない位置に設けられている請求項１に記載の熱交換器の固定装置。
【請求項３】
前記中間支持部は、前記第１外側支持部と前記第２外側支持部とが対向する方向について前記第２外側支持部と重ならない位置に設けられている請求項１または請求項２に記載の熱交換器の固定装置。
【請求項４】
前記中間支持部と前記内側支持部は、一対の前記突出片部のうち他方を挟んでおり、
前記中間支持部は、前記第１外側支持部と前記第２外側支持部とが対向する方向について前記内側支持部と重ならない位置に設けられている請求項１から請求項３のいずれか一項に記載の熱交換器の固定装置。
【請求項５】
前記内側支持部は、前記第１外側支持部と前記第２外側支持部とが対向する方向について前記第１外側支持部と重なる位置に設けられている請求項１に記載の熱交換器の固定装置。
【請求項６】
前記中間支持部は、前記第１外側支持部と前記第２外側支持部とが対向する方向について前記第２外側支持部と重なる位置に設けられている請求項１または請求項５に記載の熱交換器の固定装置。
【請求項７】
前記中間支持部と前記内側支持部は、一対の前記突出片部のうち他方を挟んでおり、
前記中間支持部は、前記第１外側支持部と前記第２外側支持部とが対向する方向について前記内側支持部と重なる位置に設けられている請求項１、請求項５、請求項６のいずれか一項に記載の熱交換器の固定装置。
【請求項８】
熱交換器（１０１）の端部に設けられたプレート状部材（３）と設置側部材（６）とを連結するブラケット（１０４）と、前記プレート状部材および前記設置側部材を前記ブラケットによって挟んで固定する挟持部材（５）と、を備え、
前記ブラケットは、
主体部（４０）と、
前記主体部から前記熱交換器側に突出する支持部であって、前記プレート状部材において間隔をあけて対向するように外方に突出する一対の突出片部（３１，３２）の間に介在した状態で一対の前記突出片部を内側から支持する内側支持部（４３）と、
前記主体部から前記熱交換器側に突出する支持部であって、一対の前記突出片部のうち一方を外側から押さえる第１外側支持部（４１）と、
前記第１外側支持部に対して間隔をあけて対向するように前記主体部から前記熱交換器側に突出する支持部であって、前記設置側部材の一部を外側から押さえる第２外側支持部（４２）と、
を有し、
前記挟持部材が前記第１外側支持部と前記第２外側支持部を互いに接近する方向に締め付けた状態で、前記第１外側支持部と前記第２外側支持部は、一対の前記突出片部のうち前記一方および前記設置側部材の一部を外側から押さえて挟んでいる熱交換器の固定装置。
【請求項９】
前記内側支持部は、前記第１外側支持部と前記第２外側支持部とが対向する方向について前記第１外側支持部と重ならない位置に設けられている請求項８に記載の熱交換器の固定装置。
【請求項１０】
前記内側支持部は、前記第１外側支持部と前記第２外側支持部とが対向する方向について前記第２外側支持部と重ならない位置に設けられている請求項８または請求項９に記載の熱交換器の固定装置。
【請求項１１】
前記内側支持部および前記第１外側支持部は、それぞれ平板状部であり、
前記内側支持部は、一対の前記突出片部のうち一方および前記第１外側支持部に対して交差する向きに設けられている請求項１から請求項１０のいずれか一項に記載の熱交換器の固定装置。
【請求項１２】
前記設置側部材には、前記挟持部材が内挿されている取付用の開口部（６１ａ１）が設けられており、
前記開口部は、一対の前記突出片部が突出する方向に細長い長穴状である請求項１から請求項１１のいずれか一項に記載の熱交換器の固定装置。
【請求項１３】
請求項１から請求項１２のいずれか一項に記載の熱交換器の固定装置と、
前記設置側部材に前記ブラケットを介して連結される前記プレート状部材（３）と、
を備える熱交換器。
【発明の詳細な説明】
【技術分野】
【０００１】
この明細書における開示は、熱交換器の固定装置および熱交換器に関する。
【背景技術】
【０００２】
特許文献１には、一端側がコア部のサイドプレートに接続され、他端側が車体に接続されているブラケットを介して車体に固定される熱交換器が記載されている。ブラケットは、他端側である上部が貫通孔に挿通されたボルトによって車体に締結され、一端側である下端がサイドプレートに接合されている。従来技術として列挙された先行技術文献の記載内容は、この明細書における技術的要素の説明として参照により援用される。
【先行技術文献】
【特許文献】
【０００３】
【特許文献１】特開２０１６−８８１０８号公報
【発明の概要】
【発明が解決しようとする課題】
【０００４】
特許文献１では、車体とサイドプレートとを連結するブラケットが上下方向に大きく突出する形状であるため、熱交換器を占有可能な上下方向長さがブラケットによって使われることで、熱交換コア部の上下方向長さが抑えられてしまうという問題がある。また、特許文献１のブラケットは、上下方向に大きく突出する形状であるため、車体から伝わる振動に対して不利である。このように特許文献１の熱交換器は、さらなる改良の余地がある。
【０００５】
この明細書における開示の目的は、熱交換コア部の体格確保と振動抑制とが図れる熱交換器の固定装置および熱交換器を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された熱交換器の固定装置のひとつは、熱交換器（１;２０１）の端部に設けられたプレート状部材（３）と設置側部材（６）とを連結するブラケット（４;２０４）と、プレート状部材および設置側部材をブラケットによって挟んで固定する挟持部材（５;１０５）と、を備え、
ブラケットは、主体部（４０;２４０）と、主体部から熱交換器側に突出する支持部であって、プレート状部材において間隔をあけて対向するように外方に突出する一対の突出片部（３１，３２）の間に介在した状態で一対の突出片部を内側から支持する内側支持部（４３;２４３）と、主体部から熱交換器側に突出する支持部であって、一対の突出片部のうち一方を外側から押さえる第１外側支持部（４１;２４１）と、第１外側支持部に対して間隔をあけて対向するように主体部から熱交換器側に突出する支持部であって、設置側部材の一部を外側から押さえる第２外側支持部（４２;２４２）と、主体部から熱交換器側に突出する支持部であって、第２外側支持部とで設置側部材の一部を挟む中間支持部（４４;２４４）と、を有し、
挟持部材が第１外側支持部と第２外側支持部を互いに接近する方向に締め付けた状態で、第１外側支持部と第２外側支持部は、一対の突出片部のうち一方および設置側部材の一部を外側から押さえて挟んでいる。
【０００８】
この固定装置によれば、ブラケットは、主体部から熱交換器側に突出する第１外側支持部、第２外側支持部、中間支持部および内側支持部によって、プレート状部材と設置側部材とを挟んで連結する。これにより、プレート状部材および設置側部材の支持される部分を同程度の高さに設定することができるので、熱交換器に対して大きく突出しないブラケットを提供できる。このため、設置側部材と熱交換器とが上下方向や横方向等に離間する距離や、ブラケットにおける設置側部材と熱交換器とを連結する部分の長さを抑えることができる。以上の効果によれば、この熱交換器の固定装置は、熱交換コア部の体格確保と振動抑制とを図ることができる。
【０００９】
開示された熱交換器の固定装置のひとつは、熱交換器（１０１）の端部に設けられたプレート状部材（３）と設置側部材（６）とを連結するブラケット（１０４）と、プレート状部材および設置側部材をブラケットによって挟んで固定する挟持部材（５）と、を備え、
ブラケットは、主体部（４０）と、主体部から熱交換器側に突出する支持部であって、プレート状部材において間隔をあけて対向するように外方に突出する一対の突出片部（３１，３２）の間に介在した状態で一対の突出片部を内側から支持する内側支持部（４３）と、主体部から熱交換器側に突出する支持部であって、一対の突出片部のうち一方を外側から押さえる第１外側支持部（４１）と、第１外側支持部に対して間隔をあけて対向するように主体部から熱交換器側に突出する支持部であって、設置側部材の一部を外側から押さえる第２外側支持部（４２）と、を有し、
挟持部材が第１外側支持部と第２外側支持部を互いに接近する方向に締め付けた状態で、第１外側支持部と第２外側支持部は、一対の突出片部のうち一方および設置側部材の一部を外側から押さえて挟んでいる。
【００１０】
この固定装置によれば、ブラケットは、主体部から熱交換器側に突出する第１外側支持部、第２外側支持部および内側支持部によって、プレート状部材と設置側部材とを挟んで連結する。これにより、プレート状部材および設置側部材の支持される部分を同程度の高さに設定することができるので、熱交換器に対して大きく突出しないブラケットを提供できる。このため、設置側部材と熱交換器とが上下方向や横方向等に離間する距離や、ブラケットにおける設置側部材と熱交換器とを連結する部分の長さを抑えることができる。以上の効果によれば、この熱交換器の固定装置は、熱交換コア部の体格確保と振動抑制とを図ることができる。
【図面の簡単な説明】
【００１１】
【図１】第１実施形態の熱交換器を示した正面図である。
【図２】熱交換器と設置側部材とに関わる固定構造を拡大して示した正面図である。
【図３】熱交換器と設置側部材とに関わる固定構造を拡大して示した平面図である。
【図４】熱交換器と設置側部材とに関わる固定構造を拡大して示した側面図である。
【図５】図１におけるＶ−Ｖ断面を矢視した部分断面図である。
【図６】第１実施形態の固定構造に関わるブラケットの天面側を示した斜視図である。
【図７】第１実施形態のブラケットの下面側を示した斜視図である。
【図８】第１実施形態のブラケットの平面図である。
【図９】第１実施形態のブラケットの正面図である。
【図１０】第１実施形態のブラケットの背面図である。
【図１１】第１実施形態のブラケットの下面図である。
【図１２】第１実施形態のブラケットの側面図である。
【図１３】熱交換器のサイドプレート、ブラケットおよび設置側部材の分解斜視図である。
【図１４】固定手順において、サイドプレートの取付孔を設置側部材の取付孔に対応させた状態を示す斜視図である。
【図１５】固定手順において、ブラケットの取付孔および取付用雌ねじ部をサイドプレートの取付孔や設置側部材の取付孔に対応させた状態を示す斜視図である。
【図１６】サイドプレート、ブラケットおよび設置側部材について、固定完了状態を示した斜視図である。
【図１７】第２実施形態の熱交換器を示した正面図である。
【図１８】熱交換器と設置側部材とに関わる固定構造を拡大して示した正面図である。
【図１９】熱交換器と設置側部材とに関わる固定構造を拡大して示した平面図である。
【図２０】熱交換器と設置側部材とに関わる固定構造を拡大して示した側面図である。
【図２１】図１７におけるXXI−XXI断面を矢視した部分断面図である。
【図２２】第２実施形態の固定構造に関わるブラケットの天面側を示した斜視図である。
【図２３】第２実施形態のブラケットの下面側を示した斜視図である。
【図２４】第２実施形態のブラケットの平面図である。
【図２５】第２実施形態のブラケットの正面図である。
【図２６】第２実施形態のブラケットの背面図である。
【図２７】第２実施形態のブラケットの下面図である。
【図２８】第２実施形態のブラケットの側面図である。
【図２９】第３実施形態の熱交換器を示した正面図である。
【図３０】熱交換器と設置側部材とに関わる固定構造を拡大して示した正面図である。
【図３１】熱交換器と設置側部材とに関わる固定構造を拡大して示した平面図である。
【図３２】熱交換器と設置側部材とに関わる固定構造を拡大して示した側面図である。
【図３３】図２９におけるXXXIII−XXXIII断面を矢視した部分断面図である。
【図３４】図２９におけるXXXIV−XXXIV断面を矢視した部分断面図である。
【図３５】第３実施形態の固定構造に関わるブラケットの天面側を示した斜視図である。
【図３６】第３実施形態のブラケットの下面側を示した斜視図である。
【図３７】第３実施形態のブラケットの平面図である。
【図３８】第３実施形態のブラケットの正面図である。
【図３９】第３実施形態のブラケットの背面図である。
【図４０】第３実施形態のブラケットの下面図である。
【図４１】第３実施形態のブラケットの側面図である。
【発明を実施するための形態】
【００１２】
以下に、図面を参照しながら本開示を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１３】
（第１実施形態）
開示の目的を達成可能な熱交換器として第１実施形態の熱交換器１を開示する。第１実施形態について図１〜図１６を参照して説明する。この熱交換器１は、作動流体と外部流体との間で熱交換を行える熱交換コア部等を支持するプレート状部材を備えている。
【００１４】
熱交換器１は、チューブの内部を流れる作動流体とチューブの周囲を流れる空気との熱交換が行われる装置である。作動流体は、熱交換を行う機器を流通し、熱交換する媒体の熱を吸収する。例えば、作動流体には、冷媒、冷却水等を用いることができる。
【００１５】
熱交換器１は、例えば、室内または車室内に対して空調空気を提供する冷凍サイクルを構成する部品として用いることができる。この場合、熱交換器１は、冷凍サイクル中の蒸発器、放熱器、凝縮器等に適用することができる。熱交換器１は、例えば、作動流体である冷却水の熱を外部に放熱するラジエータ、電子機器や電池を冷却するための冷却器等に適用することができる。
【００１６】
図１に示すように、熱交換器１は、チューブとフィンとを交互に積層して一体にして形成された熱交換コア部２と、熱交換コア部２の端部に配置された流入側タンクおよび流出側タンクと、熱交換コア部２を支持するサイドプレート３と、を備えている。作動流体と熱交換する外部流体は、熱交換コア部２を厚み方向に通過するように流れる。以下、熱交換コア部２の厚み方向を単に厚み方向と称することがある。サイドプレート３は、熱交換器１の端部、例えば熱交換コア部２の上下両側部に設けられたプレート状部材の一例であり、容易に撓まない剛性を有して熱交換コア部２を補強する機能を果たしている。サイドプレート３は、熱交換器１を設置側部材６に連結するためのブラケット４が固定される部分であり、熱交換器１において容易に変形しない強度を有している。熱交換器１において各構成部材は、アルミニウム合金等で形成されており、各構成部材同士は相互にろう付け接合または溶接接合されている。
【００１７】
熱交換器１は、車両等の移動式装置、定置式の設備や建物等に固定される機器である。いずれの設置側部材６に固定される場合でも、設置側部材６からの振動伝播やブラケットによる熱交換器１の占有スペース減少等、の課題が生じ得る。この課題を解決すべく、第１実施形態では、熱交換器１の固定装置を開示している。
【００１８】
サイドプレート３は、熱交換コア部２の厚み方向長さと同等の短手方向長さと、熱交換コア部２の上下方向長さと同等の長手方向長さと、をもつ矩形状の部材である。サイドプレート３は、平板状部から外方に突出するように立ち上がる一対の突出片部３１，３２を短手方向両端部に備えている。一対の突出片部３１，３２のそれぞれは、熱交換コア部２の長手方向長さのほぼ全体にわたって延びるように細長矩形状に設けられ、サイドプレート３全体の剛性を高める働きをしている。サイドプレート３は、平板を折り曲げ加工することによって製造することができる。突出片部３１には、挟持部材としてのボルト５の雄ねじ部５０が内挿される取付用の貫通孔３１ａが設けられている。突出片部３２には、ボルト５の雄ねじ部５０が内挿される取付用の貫通孔３２ａが設けられている。
【００１９】
熱交換器１を設置側部材６に連結する固定装置は、ブラケット４とボルト５とを備えている。ブラケット４は、熱交換器１の端部に設けられたサイドプレート３と設置側部材６とを連結する連結用固定具である。ボルト５は、サイドプレート３および設置側部材６をブラケット４によって挟んで固定する挟持部材であり、ブラケット４に対してサイドプレート３および設置側部材６を挟む力を提供する。
【００２０】
設置側部材６は、熱交換器１を固定する側の装置、設備、建物等の一部である。図４、図５および図１３に示すように、設置側部材６は、基板部６０と、基板部６０における熱交換器１側の端部から折れ曲がるように延びる連結用壁部６１と、を備え、断面Ｌ字状の部材である。基板部６０は、水平方向および厚み方向にほぼ平行な平面を有し、厚み方向に延びる短手方向長さと熱交換コア部２の幅方向長さと同等の長手方向長さとを有する矩形状の平板状部である。連結用壁部６１は、上下方向および水平方向にほぼ平行な平面を有し、上下方向に延びる短手方向長さと熱交換コア部２の幅方向長さと同等の長手方向長さとを有する矩形状の平板状部である。以下、熱交換コア部２の幅方向を単に幅方向と称することがある。
【００２１】
設置側部材６には、図１３に図示するように、基板部６０における熱交換器１側の端部を貫通する第１開口部６０ａと、連結用壁部６１において第１開口部６０ａと連続するように矩形状に貫通する第２開口部６１ａと、第３開口部６１ａ１と、が設けられている。第１開口部６０ａと第２開口部６１ａは、ブラケット４と設置側部材６とをつなぐときにブラケット４の第２外側支持部４２が内挿される開口部である。第３開口部６１ａ１は、第２開口部６１ａの幅方向中央の下端から長穴状に延びるように形成されており、ボルト５が内挿される取付用の開口部である。第３開口部６１ａ１は、一対の突出片部３１，３２が突出する方向に細長い長穴状である。第１開口部６０ａ、第２開口部６１ａおよび第３開口部６１ａ１は、設置側部材６において連続して開口する開口部であり、設置側部材６における所定箇所に幅方向に間隔をあけて複数個設けられている。
【００２２】
ブラケット４は、図６〜図１２に示すように、幅方向および厚み方向にほぼ平行に延びる平板状部である主体部４０と、主体部４０の端部から熱交換器１側に突出する第１外側支持部４１、第２外側支持部４２、内側支持部４３および中間支持部４４とを備える。ブラケット４は、主体部４０、第１外側支持部４１、第２外側支持部４２、内側支持部４３および中間支持部４４が一体に形成された固定用の一つの部材である。主体部４０は、幅方向を長手方向とし厚み方向を短手方向とする矩形板状である。ブラケット４は、金属で形成された板状部材を、プレス機械によって型抜き、切断することにより製造することができる。ブラケット４は、展開形状に形成された金属製の板状部材を、折り曲げ加工することにより製造することができる。
【００２３】
第１外側支持部４１は、主体部４０から熱交換器１側に突出するように延びる支持部である。第１外側支持部４１は、主体部４０における厚み方向長さの一方端部からほぼ直角に折れ曲がるように延びる矩形状の平板状部である。第１外側支持部４１には、ボルト５の雄ねじ部５０が内挿される取付用の貫通孔４１ａが設けられている。第１外側支持部４１の幅方向長さは、主体部４０の幅方向長さおよびブラケット４の幅方向長さよりも短くなっている。第１外側支持部４１は、主体部４０から熱交換器１側に突出する形状であるため、厚み方向に外力が作用した場合に撓みやすく、接触している部材に対して弾性変形による反力を与えることができる。
【００２４】
ブラケット４と設置側部材６とをサイドプレート３に対して適正な固定位置に設置した場合に、第１外側支持部４１は、ブラケット４において、一対の突出片部のうち一方の突出片部３１の外側表面に接触する位置に設けられている。第１外側支持部４１は、図３、図５に示すように、ブラケット４によって設置側部材６とサイドプレート３とを挟んだ状態でボルト５を締め付けたときに一方の突出片部３１に接触して突出片部３１を挟むために外側から押さえる働きをする。
【００２５】
第２外側支持部４２は、第１外側支持部４１に対して間隔をあけて対向するように主体部４０から熱交換器１側に突出する支持部である。第２外側支持部４２は、主体部４０における厚み方向長さの他方端部からほぼ直角に折れ曲がるように延びる矩形状の平板状部である。第２外側支持部４２には、ボルト５の雄ねじ部５０が螺合される雌ねじ部４２ａが設けられている。第２外側支持部４２の幅方向長さは、主体部４０の幅方向長さおよびブラケット４の幅方向長さよりも短くなっており、第１外側支持部４１の幅方向長さと同等である。第２外側支持部４２は、主体部４０から熱交換器１側に突出する形状であるため、厚み方向に外力が作用した場合に撓みやすく、接触している部材に対して弾性変形による反力を与えることができる。
【００２６】
ブラケット４と設置側部材６とをサイドプレート３に対して適正な固定位置に設置した場合に、第２外側支持部４２は、ブラケット４において、設置側部材６の連結用壁部６１の表面に接触する位置に設けられている。第２外側支持部４２は、図３、図５に示すように、ブラケット４によって設置側部材６とサイドプレート３とを挟んだ状態でボルト５を締め付けたときに他方の突出片部３２に接触して突出片部３２を挟むために外側から押さえる働きをする。
【００２７】
内側支持部４３は、その厚み方向を熱交換コア部２の幅方向としその幅方向を熱交換コア部２の厚み方向として、主体部４０から熱交換器１側に突出する支持部である。内側支持部４３は、その幅方向長さがブラケット４の厚み方向長さよりも小さく、熱交換コア部２の厚み方向について、第１外側支持部４１と第２外側支持部４２との間に位置するように設けられている。内側支持部４３は、主体部４０における幅方向長さの両端部のそれぞれからほぼ直角に折れ曲がるように延びる矩形状の平板状部である。内側支持部４３は、第１外側支持部４１および第２外側支持部４２に対して直交する形状の平板状部である。内側支持部４３は、ブラケット４において両端部にそれぞれ設けられている。したがって、内側支持部４３は、第１外側支持部４１および第２外側支持部４２よりも、ブラケット４において幅方向の外側に位置している。
【００２８】
ブラケット４と設置側部材６とをサイドプレート３に対して適正な固定位置に設置した場合に、内側支持部４３の幅方向長さにおいて一方側端部４３ａは一方の突出片部３１に内側から接触し、他方側端部４３ｂは他方の突出片部３２に内側から接触する。内側支持部４３は、図３、図５に示すように、ブラケット４によって設置側部材６とサイドプレート３とを挟んだ状態でボルト５を締め付けたときに、一対の突出片部３１，３２が内側に倒れて大きく変形しないように支持する働きをする。さらに、図３に示すように、内側支持部４３の一方側端部４３ａは、幅方向に離間した位置で、第１外側支持部４１とによって一方の突出片部３１を挟むように押さえる働きをする。図３に示すように、内側支持部４３の他方側端部４３ｂは、幅方向に離間した位置で、中間支持部４４とによって他方の突出片部３１を挟むように押さえる働きをする。
【００２９】
中間支持部４４は、幅方向に離間した位置で第２外側支持部４２に対して厚み方向に間隔をあけて主体部４０から熱交換器１側に突出する支持部である。中間支持部４４は、主体部４０において、第２外側支持部４２と内側支持部４３との間の端部からほぼ直角に折れ曲がるように延びる矩形状の平板状部である。中間支持部４４は、第１外側支持部４１および第２外側支持部４２に対してほぼ平行な形状である。中間支持部４４の幅方向長さは、第１外側支持部４１や第２外側支持部４２の幅方向長さよりも短くなっている。第１外側支持部４１、第２外側支持部４２、内側支持部４３および中間支持部４４は、上下方向長さが同等になるように設けられている。中間支持部４４は、主体部４０から熱交換器１側に突出する形状であるため、厚み方向に外力が作用した場合に撓みやすく、接触している部材に対して弾性変形による反力を与えることができる。
【００３０】
ブラケット４と設置側部材６とをサイドプレート３に対して適正な固定位置に設置した場合に、中間支持部４４は、ブラケット４において、他方の突出片部３２と連結用壁部６１との両方に接触する位置に設けられている。中間支持部４４は、図３、図５に示すように、ブラケット４によって設置側部材６とサイドプレート３とを挟んだ状態でボルト５を締め付けたときに、幅方向に離間した位置で、第２外側支持部４２とによって連結用壁部６１を挟むように押さえる働きをする。さらに中間支持部４４は、幅方向に離間した位置で、内側支持部４３の他方側端部４３ｂとによって他方の突出片部３２を挟むように押さえる働きをする。
【００３１】
次に、図１３〜図１６を参照して、熱交換器１と設置側部材６とを連結する手順について説明する。熱交換器１は、熱交換器１の端部に設けられた複数のプレート状部材のそれぞれと設置側部材６を連結するブラケット４と挟持部材とを用いて設置側部材６に固定される。熱交換器１の固定箇所は、例えば、図１に図示するように、上端部のサイドプレート３における幅方向に離間した２箇所と、下端部のサイドプレート３における幅方向に離間した２箇所と、の合計４か所である。以下に、上端部の２箇所について、図を参照して説明する。
【００３２】
図１３は、固定装置を構成するサイドプレート３、ブラケット４、ワッシャ５１付きのボルト５および設置側部材６を分解した状態を示している。まず、設置側部材６に対してサイドプレート３を所定の位置に位置合わせする。図１４に示すように、突出片部３２の貫通孔３２ａと連結用壁部６１の第３開口部６１ａ１とが一致する位置に、サイドプレート３を設置側部材６に対して位置合わせする。このとき突出片部３２は連結用壁部６１に接触するかしないかの程度に接近している。
【００３３】
次に、この状態を維持したまま、ブラケット４をサイドプレート３と設置側部材６に設置する。各部のうち主体部４０を上にした姿勢で、第２外側支持部４２を第１開口部６０ａと第２開口部６１ａとで形成される開口部に差し込み、第１外側支持部４１を突出片部３１の外側に位置するように、ブラケット４を嵌めこむ。第２外側支持部４２の雌ねじ部４２ａと連結用壁部６１の第３開口部６１ａ１とが一致し、第１外側支持部４１の貫通孔４１ａと突出片部３１の貫通孔３１ａとが一致するように、ブラケット４を位置決めする。
【００３４】
このブラケット４の設置状態では、図４、図５および図１５に示すように、内側支持部４３は突出片部３１と突出片部３２の間に嵌め込まれ、中間支持部４４は突出片部３２の外側の面に接触し、中間支持部４４は反対側の面で連結用壁部６１に接触している。さらに第１外側支持部４１は突出片部３１の外側の面に接触し、第２外側支持部４２は連結用壁部６１に接触して中間支持部４４と第２外側支持部４２は連結用壁部６１を挟んでいる。
【００３５】
次に、図１６に図示するように、ブラケット４の設置状態を維持したまま、ボルト５を締め付けて挟持力を与えることによって、サイドプレート３および設置側部材６をブラケット４で挟んで固定する。具体的には、ボルト５の雄ねじ部５０を貫通孔４１ａから差し込み、貫通孔３１ａ、貫通孔３２ａ、第３開口部６１ａ１を順に挿し通して、雄ねじ部５０を雌ねじ部４２ａに螺合させて、ワッシャ５１が第１外側支持部４１に密着するまで締め付ける。この状態では、ボルト５が第１外側支持部４１と第２外側支持部４２を互いに接近する方向に締め付けており、第１外側支持部４１と第２外側支持部４２は、突出片部３１と設置側部材６の連結用壁部６１を外側から押さえて挟んでいる。この締め付け作業により、熱交換器１の固定装置を用いて熱交換器１と設置側部材６とを連結する作業は完了する。下端部の２箇所の連結手順に関しては、上下が逆になる他は上端部の２箇所と同様であり、これまでの説明を援用するものとする。
【００３６】
さらに、熱交換器１の固定装置が与える挟持力によって各部に働く作用力について、図３を参照しながら説明する。ボルト５による締め付けが完了した状態では、第１外側支持部４１と第２外側支持部４２とは互いに接近する方向に締め付けられている。第２外側支持部４２が図３に示す連結用壁部６１の破線部を外側から押すため、この破線部が第１外側支持部４１側へ微小変形する。連結用壁部６１は、幅方向について第２外側支持部４２よりも外側で中間支持部４４によって第２外側支持部４２側へ押される。これにより、連結用壁部６１は、第２外側支持部４２と中間支持部４４とによって幅方向に離れた位置で挟持されるので、ブラケット４に対して高い結合力で固定される。
【００３７】
第１外側支持部４１は、ボルト５の頭部やワッシャ５１により図３に示す突出片部３１の破線部を外側から押すため、この破線部が第２外側支持部４２側へ微小変形する。突出片部３１は、幅方向について第１外側支持部４１よりも外側で内側支持部４３の一方側端部４３ａによって外側へ押される。これにより、突出片部３１は、第１外側支持部４１と内側支持部４３とによって幅方向に離れた位置で挟持されるので、ブラケット４に対して高い結合力で固定される。
【００３８】
中間支持部４４は、突出片部３２を外側から押している。内側支持部４３の他方側端部４３ｂは、幅方向について中間支持部４４よりも外側で突出片部３２を外側から押している。これにより、突出片部３２は、内側支持部４３と中間支持部４４とによって幅方向に離れた位置で挟持されるので、ブラケット４に対して高い結合力で固定される。以上の作用力により、熱交換器１のサイドプレート３は、ブラケット４を介して設置側部材６に強固に固定されている。
【００３９】
第１実施形態がもたらす作用効果について説明する。熱交換器１の固定装置は、熱交換器１の端部に設けられたプレート状部材と設置側部材６とを連結するブラケット４と、プレート状部材および設置側部材６をブラケット４によって挟んで固定する挟持部材と、を備える。ブラケット４の内側支持部４３は、主体部４０から熱交換器１側に突出する支持部であってプレート状部材において間隔をあけて対向するように外方に突出する一対の突出片部３１，３２の間に介在した状態で一対の突出片部を内側から支持する。ブラケット４の第１外側支持部４１は、主体部４０から熱交換器１側に突出する支持部であって、一対の突出片部３１，３２のうち一方を外側から押さえている。ブラケット４の第２外側支持部４２は、第１外側支持部４１に対して間隔をあけて対向するように主体部４０から熱交換器１側に突出する支持部であって、設置側部材６の一部を外側から押さえる第２外側支持部４２である。ブラケット４の中間支持部４４は、主体部４０から熱交換器１側に突出する支持部であって、第２外側支持部４２とで設置側部材６の一部を挟んでいる。挟持部材が第１外側支持部４１と第２外側支持部４２を互いに接近する方向に締め付けた状態で、第１外側支持部４１と第２外側支持部４２は、一対の突出片部３１，３２のうち一方および設置側部材６の一部を外側から押さえて挟んでいる。
【００４０】
この固定装置によれば、ブラケット４は、主体部４０から熱交換器１側に突出する第１外側支持部４１、第２外側支持部４２、内側支持部４３および中間支持部４４によって、プレート状部材と設置側部材６とを挟んで連結する。これにより、プレート状部材および設置側部材６においてブラケット４に接触して支持される部分を、主体部４０に対して各部が突出する一方側に集めた固定装置を提供できる。したがって、プレート状部材および設置側部材６においてブラケット４によって支持される部分を同程度の高さに設定することもできるので、熱交換器１に対して大きく突出しないブラケット４を提供できる。
【００４１】
この効果によれば、設置側部材６と熱交換器１とが上下方向や横方向等に離間する距離や、ブラケット４において設置側部材６と熱交換器１とを連結する部分の長さを抑えることができる。したがって、ブラケット４における設置側部材６との結合部と熱交換器１との結合部との距離が短くできるので、振動に対するブラケット４の振幅を小さくでき耐振動性を向上することができる。また、熱交換器１の設置スペースに対して、ブラケット４が占める範囲を小さくできるので、熱交換コア部２の体格を確保することに寄与する。
【００４２】
また、この固定装置によれば、設置側部材６の一部と熱交換器１の一部であるプレート状部材の突出片部３１，３２とをブラケット４によって挟み込んで連結する構成である。このため、挟む位置がスライド調整可能な構造であるので、熱交換器１の寸法がスライド可能な方向に公差範囲内で変化しても対応可能な固定装置を提供できる。
【００４３】
内側支持部４３は、第１外側支持部４１と第２外側支持部４２とが対向する方向について第１外側支持部４１と重ならない位置に設けられている。この構成によれば、サイドプレート３の突出片部を幅方向に広い範囲で支持することができるので、熱交換器１とブラケット４との結合力を向上できる固定装置を提供できる。
【００４４】
中間支持部４４は、第１外側支持部４１と第２外側支持部４２とが対向する方向について第２外側支持部４２と重ならない位置に設けられている。この構成によれば、設置側部材６の一部を幅方向に広い範囲で支持することができるので、設置側部材６とブラケット４との結合力を向上できる固定装置を提供できる。
【００４５】
中間支持部４４と内側支持部４３は、一対の突出片部３１，３２のうち他方を挟んでいる。中間支持部４４は、第１外側支持部４１と第２外側支持部４２とが対向する方向について内側支持部４３と重ならない位置に設けられている。この構成によれば、一対の突出片部３１，３２のうち他方を幅方向に広い範囲で支持することができるので、プレート状部材とブラケット４との結合力を向上できる固定装置を提供できる。
【００４６】
熱交換器１の固定装置によれば、第３開口部６１ａ１は、設置側部材６の連結用壁部６１において長穴状に貫通する開口部であり、挟持部材であるボルト５が内挿されている。この構成によれば、第３開口部６１ａ１に対するボルト５の位置を第３開口部６１ａ１の長手方向に変位させて調整することができる。これにより、熱交換器１の公差範囲で熱交換器１の位置を微調整可能な固定装置を提供できる。
【００４７】
内側支持部４３および第１外側支持部４１は、それぞれ平板状部であり、内側支持部４３は、一対の突出片部３１，３２のうち一方および第１外側支持部４１に対して交差する向きに設けられている。この構成によれば、内側支持部４３は、両端部で突出片部３１と突出片部３２とに小さな面積で接触して支持するため、幅方向長さを抑制可能なブラケット４を提供できる。
【００４８】
熱交換器１は、前述の熱交換器１の固定装置と、設置側部材６にブラケット４を介して連結されるプレート状部材と、を備える。この熱交換器１によれば、ブラケット４における設置側部材６との結合部と熱交換器１との結合部との距離が短くできるので、振動に対するブラケット４の振幅を小さくでき耐振動性を向上できる。さらに熱交換器１の設置スペースに対して、ブラケット４が占める範囲を小さくできるので、熱交換コア部２の体格を確保できる熱交換器１が得られる。
【００４９】
（第２実施形態）
第２実施形態では、第１実施形態の他の形態である固定装置および熱交換器１０１について図１７〜図２８を参照して説明する。第２実施形態は、ブラケット１０４が第１実施形態に対して相違する。ブラケット１０４は、第１実施形態のブラケット４に対して中間支持部４４を有していない点が相違している。各図において、第１実施形態と同様の構成であるものは同一の符号を付し、同様の作用、効果を奏するものである。第２実施形態で特に説明しない構成、作用、効果については、第１実施形態と同様である。
【００５０】
熱交換器１０１を設置側部材６に連結する固定装置は、ブラケット１０４とボルト５とを備えている。ブラケット１０４は、熱交換器１０１の端部に設けられたサイドプレート３と設置側部材６とを連結する連結用固定具である。
【００５１】
ブラケット１０４は、図２２〜図２８に示すように、幅方向および厚み方向にほぼ平行に延びる平板状部である主体部４０と、主体部４０の端部から熱交換器１０１側に突出する第１外側支持部４１、第２外側支持部４２および内側支持部４３とを備える。ブラケット１０４は、主体部４０、第１外側支持部４１、第２外側支持部４２および内側支持部４３が一体に形成された固定用の一つの部材である。ブラケット１０４は、金属で形成された板状部材を、プレス機械によって型抜き、切断することにより製造することができる。ブラケット１０４は、展開形状に形成された金属製の板状部材を、折り曲げ加工することにより製造することができる。
【００５２】
熱交換器１０２と設置側部材６とを連結する手順について説明する。熱交換器１０１は、熱交換器１０１の端部に設けられた複数のプレート状部材のそれぞれと設置側部材６を連結するブラケット１０４と挟持部材とを用いて設置側部材６に固定される。熱交換器１０１の固定箇所は、例えば、図１７に図示するように、上端部のサイドプレート３における幅方向に離間した２箇所と、下端部のサイドプレート３における幅方向に離間した２箇所と、の合計４か所である。
【００５３】
次に、前述の図１３に示す状態を維持したまま、ブラケット１０４をサイドプレート３と設置側部材６に設置する。各部のうち主体部４０を上または下にした姿勢で、第２外側支持部４２を第１開口部６０ａと第２開口部６１ａとで形成される開口部に差し込み、第１外側支持部４１を突出片部３１の外側に位置するように、ブラケット１０４を嵌めこむ。第２外側支持部４２の雌ねじ部４２ａと連結用壁部６１の第３開口部６１ａ１とが一致し、第１外側支持部４１の貫通孔４１ａと突出片部３１の貫通孔３１ａとが一致するように、ブラケット１０４を位置決めする。
【００５４】
このブラケット１０４の設置状態では、図１９、図２０、図２１に示すように、内側支持部４３は突出片部３１と突出片部３２の間に嵌め込まれている。さらに第１外側支持部４１は突出片部３１の外側の面に接触し、第２外側支持部４２は連結用壁部６１に接触して内側支持部４３と第２外側支持部４２は突出片部３２および連結用壁部６１を挟んでいる。すなわち、突出片部３２と連結用壁部６１は互いに面接触した状態で両側から内側支持部４３と第２外側支持部４２とによって挟持されている。
【００５５】
次にブラケット１０４の設置状態を維持したまま、ボルト５を締め付けて挟持力を与えることによって、サイドプレート３および設置側部材６をブラケット１０４で挟んで固定する。この状態では、ボルト５が第１外側支持部４１と第２外側支持部４２を互いに接近する方向に締め付けており、ブラケット１０４は、第１外側支持部４１と第２外側支持部４２によって、突出片部３１と設置側部材６の連結用壁部６１を外側から押さえて挟んでいる。この締め付け作業により、熱交換器１０１の固定装置を用いて熱交換器１０１と設置側部材６とを連結する作業は完了する。
【００５６】
さらに、熱交換器１０１の固定装置が与える挟持力によって各部に働く作用力について、図１９を参照しながら説明する。ボルト５による締め付けが完了した状態では、第１外側支持部４１と第２外側支持部４２とは互いに接近する方向に締め付けられている。第２外側支持部４２が図１９に示す連結用壁部６１の破線部を外側から押すため、この破線部が第１外側支持部４１側へ微小変形する。連結用壁部６１は、幅方向について第２外側支持部４２よりも外側で内側支持部４３の他方側端部４３ｂによって突出片部３２とともに第２外側支持部４２側へ押される。これにより、連結用壁部６１および突出片部３２は、第２外側支持部４２と内側支持部４３とによって幅方向に離れた位置で挟持されるので、ブラケット１０４に対して高い結合力で固定される。
【００５７】
第１外側支持部４１は、ボルト５の頭部やワッシャ５１により図１９に示す突出片部３１の破線部を外側から押すため、この破線部が第２外側支持部４２側へ微小変形する。突出片部３１は、幅方向について第１外側支持部４１よりも外側で内側支持部４３の一方側端部４３ａによって外側へ押される。これにより、突出片部３１は、第１外側支持部４１と内側支持部４３とによって幅方向に離れた位置で挟持されるので、ブラケット１０４に対して高い結合力で固定される。以上の作用力により、熱交換器１０１のサイドプレート３は、ブラケット１０４を介して設置側部材６に強固に固定されている。
【００５８】
第２実施形態がもたらす作用効果について説明する。熱交換器１０１の固定装置は、熱交換器１０１の端部に設けられたプレート状部材と設置側部材６とを連結するブラケット１０４と、プレート状部材および設置側部材６をブラケット１０４によって挟んで固定する挟持部材と、を備える。ブラケット１０４の内側支持部４３は、主体部４０から熱交換器１側に突出する支持部であってプレート状部材において間隔をあけて対向するように外方に突出する一対の突出片部３１，３２の間に介在した状態で一対の突出片部を内側から支持する。ブラケット１０４の第１外側支持部４１は、主体部４０から熱交換器１側に突出する支持部であって、一対の突出片部３１，３２のうち一方を外側から押さえている。ブラケット１０４の第２外側支持部４２は、第１外側支持部４１に対して間隔をあけて対向するように主体部４０から熱交換器１側に突出する支持部であって、設置側部材６の一部を外側から押さえる第２外側支持部４２である。挟持部材が第１外側支持部４１と第２外側支持部４２を互いに接近する方向に締め付けた状態で、第１外側支持部４１と第２外側支持部４２は、一対の突出片部３１，３２のうち一方および設置側部材６の一部を外側から押さえて挟んでいる。
【００５９】
この固定装置によれば、ブラケット１０４は、主体部４０から熱交換器１０１側に突出する第１外側支持部４１、第２外側支持部４２および内側支持部４３によって、プレート状部材と設置側部材６とを挟んで連結する。これにより、プレート状部材および設置側部材６においてブラケット１０４に接触して支持される部分を、主体部４０に対して各部が突出する一方側に集めた固定装置を提供できる。したがって、プレート状部材および設置側部材６においてブラケット１０４によって支持される部分を同程度の高さに設定することもできるので、熱交換器１０１に対して大きく突出しないブラケット１０４を提供できる。
【００６０】
この効果によれば、設置側部材６と熱交換器１０１とが上下方向や横方向等に離間する距離や、ブラケット１０４において設置側部材６と熱交換器１０１とを連結する部分の長さを抑えることができる。したがって、ブラケット１０４における設置側部材６との結合部と熱交換器１０１との結合部との距離が短くできるので、振動に対するブラケット１０４の振幅を小さくでき耐振動性を向上することができる。また、熱交換器１０１の設置スペースに対して、ブラケット１０４が占める範囲を小さくできるので、熱交換コア部２の体格を確保することに寄与する。
【００６１】
内側支持部４３および第１外側支持部４１は、それぞれ平板状部である。内側支持部４３は、一対の突出片部３１，３２のうち一方および第１外側支持部４１に対して交差する向きに設けられている。この構成によれば、内側支持部４３は、両端部で突出片部３１と突出片部３２とに小さな面積で接触して支持するため、幅方向長さを抑制可能なブラケット１０４を提供できる。
【００６２】
（第３実施形態）
第３実施形態では、第１実施形態の他の形態である固定装置および熱交換器２０１について図２９〜図４１を参照して説明する。第３実施形態は、ブラケット２０４が第１実施形態に対して相違する。ブラケット２０４は、第１実施形態のブラケット４に対して、幅方向の長さ寸法が小さく構成できる点が相違している。各図において、第１実施形態と同様の構成であるものは同一の符号を付し、同様の作用、効果を奏するものである。第３実施形態で特に説明しない構成、作用、効果については、第１実施形態と同様である。
【００６３】
熱交換器２０１を設置側部材６に連結する固定装置は、ブラケット２０４とリベット１０５とを備えている。ブラケット２０４は、熱交換器２０１の端部に設けられたサイドプレート３と設置側部材６とを連結する連結用固定具である。リベット１０５は、サイドプレート３および設置側部材６をブラケット２０４によって挟んで固定する挟持部材であり、ブラケット２０４に対してサイドプレート３および設置側部材６を挟む力を提供する。
【００６４】
ブラケット２０４は、図３５〜図４１に示すように、幅方向および厚み方向にほぼ平行に延びる四角形状の主体部２４０と、主体部２４０の端部から熱交換器２０１側に突出する第１外側支持部２４１、第２外側支持部２４２、内側支持部２４３および中間支持部２４４とを備える。ブラケット２０４は、主体部２４０、第１外側支持部２４１、第２外側支持部２４２、内側支持部２４３および中間支持部２４４が一体に形成された固定用の一つの部材である。ブラケット２０４は、金型を用いて製造された成型品である。ブラケット２０４は、硬質プラスチック樹脂、ガラス繊維やタルクを含有した樹脂成形品であることが好ましい。またブラケット２０４は、特殊鋼で製作した金型をダイカストマシンに取り付け、これに溶融金属を高圧で注入し迅速に凝固させ取り出して製造するダイカスト製品であってもよい。
【００６５】
第１外側支持部２４１は、主体部４０から熱交換器２０１側に突出するように延びる支持部である。第１外側支持部２４１は、主体部２４０における厚み方向長さの一方端部からほぼ直角に延びる四角状の平板状部である。第１外側支持部２４１には、リベット１０５の軸部１５０が内挿される取付用の貫通孔２４１ａが設けられている。第１外側支持部２４１の幅方向長さは、主体部２４０の幅方向長さおよびブラケット２０４の幅方向長さと同等である。第１外側支持部２４１は、主体部２４０から熱交換器２０１側に突出する形状であるため、厚み方向に外力が作用した場合に撓みやすく、接触している部材に対して弾性変形による反力を与えることができる。
【００６６】
ブラケット２０４と設置側部材６とをサイドプレート３に対して適正な固定位置に設置した場合に、第１外側支持部２４１は、ブラケット２０４において、一対の突出片部のうち一方の突出片部３１の外側表面に接触する位置に設けられている。第１外側支持部２４１は、図３１、図３３に示すように、ブラケット２０４で設置側部材６とサイドプレート３とを挟んだ状態でリベット１０５によって締め付けたときに一方の突出片部３１に接触して突出片部３１を挟むために外側から押さえる働きをする。
【００６７】
第２外側支持部２４２は、第１外側支持部２４１に対して間隔をあけて対向するように主体部２４０から熱交換器２０１側に突出する支持部である。第２外側支持部２４２は、主体部２４０における厚み方向長さの他方端部からほぼ直角に延びる四角状の平板状部である。第２外側支持部２４２には、リベット１０５の軸部１５０が内挿される取付用の貫通孔２４２ａが設けられている。第２外側支持部２４２の幅方向長さは、主体部２４０の幅方向長さおよびブラケット２０４の幅方向長さと同等であり、第１外側支持部４１の幅方向長さと同等である。第２外側支持部２４２は、主体部２４０から熱交換器２０１側に突出する形状であるため、厚み方向に外力が作用した場合に撓みやすく、接触している部材に対して弾性変形による反力を与えることができる。
【００６８】
ブラケット２０４と設置側部材６とをサイドプレート３に対して適正な固定位置に設置した場合に、第２外側支持部２４２は、ブラケット２０４において、設置側部材６の連結用壁部６１の表面に接触する位置に設けられている。第２外側支持部２４２は、図３１、図３３に示すように、ブラケット２０４によって設置側部材６とサイドプレート３とを挟んだ状態でリベット１０５で締め付けたときに他方の突出片部３２に接触して突出片部３２を挟むために外側から押さえる働きをする。
【００６９】
内側支持部２４３は、その厚み方向を熱交換コア部２の幅方向としその幅方向を熱交換コア部２の厚み方向として、主体部２４０から熱交換器２０１側に突出する支持部である。ブラケット２０４には、幅方向に間隔をあけて対向する２個の内側支持部２４３が設けられている。内側支持部２４３は、その幅方向長さがブラケット２０４の厚み方向長さよりも小さく、熱交換コア部２の厚み方向について、第１外側支持部２４１と第２外側支持部２４２との間に位置するように設けられている。内側支持部２４３は、熱交換コア部２の厚み方向について、第１外側支持部２４１と中間支持部２４４との間に位置するようにも設けられている。内側支持部２４３は、ブラケット２０４や主体部２４０における幅方向長さの端部よりも内側の部位からほぼ直角に延びる矩形状の平板状部である。内側支持部２４３は、第１外側支持部２４１、第２外側支持部２４２および中間支持部２４４に対して直交する形状の平板状部である。内側支持部２４３は、ブラケット２０４において両端部にそれぞれ設けられている。
【００７０】
ブラケット２０４と設置側部材６とをサイドプレート３に対して適正な固定位置に設置した場合に、内側支持部２４３の幅方向長さにおいて一方側端部２４３ａは一方の突出片部３１に内側から接触し、他方側端部２４３ｂは他方の突出片部３２に内側から接触する。内側支持部２４３は、図３１、図３３に示すように、ブラケット２０４によって設置側部材６とサイドプレート３とを挟んだ状態でリベット１０５で締め付けたときに、一対の突出片部３１，３２が内側に倒れて大きく変形しないように支持する働きをする。さらに、図３１に示すように、内側支持部２４３の一方側端部２４３ａは、厚み方向に重なる位置で、第１外側支持部２４１とによって一方の突出片部３１を挟むように押さえる働きをする。図３１に示すように、内側支持部２４３の他方側端部２４３ｂは、厚み方向に重なる位置で、中間支持部２４４とによって他方の突出片部３１を挟むように押さえる働きをする。
【００７１】
ブラケット２０４には、幅方向に間隔をあけて並ぶ２個の中間支持部２４４が設けられている。中間支持部２４４は、第２外側支持部２４２に対して厚み方向に間隔をあけて対向し主体部２４０から熱交換器２０１側に突出する支持部である。中間支持部２４４は、主体部２４０において、第２外側支持部２４２と内側支持部２４３との間からほぼ直角に延びる矩形状の平板状部である。中間支持部２４４は、第１外側支持部２４１および第２外側支持部２４２に対してほぼ平行な形状である。中間支持部２４４の幅方向長さは、第１外側支持部２４１や第２外側支持部２４２の幅方向長さよりも短くなっている。第１外側支持部２４１、第２外側支持部２４２および中間支持部２４４は、上下方向長さが同等であり、内側支持部２４３よりも長くなるように設けられている。中間支持部２４４は、主体部２４０から熱交換器２０１側に突出する形状であるため、厚み方向に外力が作用した場合に撓みやすく、接触している部材に対して弾性変形による反力を与えることができる。
【００７２】
ブラケット２０４と設置側部材６とをサイドプレート３に対して適正な固定位置に設置した場合に、中間支持部２４４は、ブラケット２０４において、他方の突出片部３２と連結用壁部６１との両方に接触する位置に設けられている。中間支持部２４４は、図３１、図３３に示すように、ブラケット２０４によって設置側部材６とサイドプレート３とを挟んだ状態でリベット１０５で締め付けたときに、厚み方向に重なる位置で、第２外側支持部２４２とによって連結用壁部６１を挟むように押さえる働きをする。さらに中間支持部２４４は、厚み方向に重なる位置で、内側支持部２４３の他方側端部２４３ｂとによって他方の突出片部３２を挟むように押さえる働きをする。
【００７３】
次に、熱交換器２０１と設置側部材６とを連結する手順について説明する。熱交換器２０１は、熱交換器２０１の端部に設けられた複数のプレート状部材のそれぞれと設置側部材６を連結するブラケット４と挟持部材とを用いて設置側部材６に固定される。熱交換器２０１の固定箇所は、第１実施形態と同様であり、図２９に図示するように、上端部のサイドプレート３における幅方向に離間した２箇所と、下端部のサイドプレート３における幅方向に離間した２箇所と、の合計４か所である。
【００７４】
次に、前述の図１３に示す状態を維持したまま、ブラケット２０４をサイドプレート３と設置側部材６に設置する。各部のうち主体部２４０を上または下にした姿勢で、第２外側支持部２４２を第１開口部６０ａと第２開口部６１ａとで形成される開口部に差し込み、第１外側支持部２４１を突出片部３１の外側に位置するように、ブラケット２０４を嵌めこむ。第２外側支持部２４２の貫通孔２４２ａと連結用壁部６１の第３開口部６１ａ１とが一致し、第１外側支持部４１の貫通孔４１ａと突出片部３１の貫通孔３１ａとが一致するように、ブラケット２０４を位置決めする。
【００７５】
このブラケット２０４の設置状態では、図３２、図３３に示すように、内側支持部２４３は突出片部３１と突出片部３２の間に嵌め込まれ、中間支持部２４４は突出片部３２の外側の面に接触し、中間支持部２４４は反対側の面で連結用壁部６１に接触している。さらに第１外側支持部２４１は突出片部３１の外側の面に接触し、第２外側支持部２４２は連結用壁部６１に接触して中間支持部２４４と第２外側支持部２４２は連結用壁部６１を挟んでいる。
【００７６】
次に、ブラケット２０４の設置状態を維持したまま、リベット１０における軸部１５０の先端部１０５ａをかしめて挟持力を与えることによって、サイドプレート３および設置側部材６をブラケット２０４で挟んで固定する。具体的には、リベット１０５の軸部１５０を貫通孔２４１ａから差し込み、貫通孔２３１ａ、貫通孔２３２ａ、第３開口部６１ａ１を順に挿し通して、軸部１５０の先端部１０５ａをかしめて、リベット１０５の頭部と先端部１０５ａによってブラケット２０５を締め付ける。この状態では、リベット１０５が第１外側支持部２４１と第２外側支持部２４２を互いに接近する方向に締め付けており、第１外側支持部２４１と第２外側支持部２４２は、突出片部３１と設置側部材６の連結用壁部６１を外側から押さえて挟んでいる。この締め付け作業により、熱交換器２０１の固定装置を用いて熱交換器２０１と設置側部材６とを連結する作業は完了する。以上の作業は、図２９に示す合計４か所のそれぞれについて行うものである。
【００７７】
さらに、熱交換器２０１の固定装置が与える挟持力によって各部に働く作用力について、図３１を参照しながら説明する。リベット１０５による締め付けが完了した状態では、第１外側支持部２４１と第２外側支持部２４２とは互いに接近する方向に締め付けられている。第２外側支持部２４２が図３１に示す連結用壁部６１の破線部を外側から押すため、この破線部が第１外側支持部２４１側へ微小変形する。連結用壁部６１は、連結用壁部６１の破線部における幅方向の両側で中間支持部２４４によって第２外側支持部４２側へ押される。これにより、連結用壁部６１は、第２外側支持部４２と中間支持部４４とによって挟持されるので、ブラケット２０４に対して高い結合力で固定される。
【００７８】
第１外側支持部２４１は、リベット１０５の頭部により図３１に示す突出片部３１の破線部を外側から押すため、この破線部が第２外側支持部２４２側へ微小変形する。突出片部３１は、突出片部３１の破線部における幅方向の両側で内側支持部２４３の一方側端部２４３ａによって外側へ押される。これにより、突出片部３１は、第１外側支持部２４１と内側支持部２４３とによって挟持されるので、ブラケット４に対して高い結合力で固定される。
【００７９】
中間支持部２４４は、突出片部３２を外側から押している。内側支持部２４３の他方側端部２４３ｂは、厚み方向に内側支持部２４３と重なる位置で突出片部３２を外側から押している。これにより、突出片部３２は、内側支持部２４３と中間支持部２４４とによって幅方向に離れた位置の２箇所で挟持されているので、ブラケット２０４に対して高い結合力で固定される。以上の作用力により、熱交換器２０１のサイドプレート３は、ブラケット２０４を介して設置側部材６に強固に固定されている。
【００８０】
第３実施形態がもたらす作用効果について説明する。熱交換器２０１の固定装置は、第１実施形態で述べた熱交換器１の固定装置と同様の作用効果を奏する。
【００８１】
内側支持部２４３は、第１外側支持部２４１と第２外側支持部２４２とが対向する方向について第１外側支持部２４１と重なる位置に設けられている。この構成によれば、サイドプレート３の突出片部の一方を支持する幅方向範囲を小さくできるので、熱交換器２０１とブラケット２０４との結合力を確保しつつ、ブラケット２０４の小型化が図れる。
【００８２】
中間支持部２４４は、第１外側支持部２４１と第２外側支持部２４２とが対向する方向について第２外側支持部２４２と重なる位置に設けられている。この構成によれば、設置側部材の一部を支持する幅方向範囲を小さくできるので、熱交換器２０１とブラケット２０４との結合力を確保しつつ、ブラケット２０４の小型化が図れる。
【００８３】
中間支持部２４４と内側支持部２４３は、一対の突出片部３１，３２のうち他方を挟んでいる。中間支持部２４４は、第１外側支持部２４１と第２外側支持部２４２とが対向する方向について内側支持部２４３と重なる位置に設けられている。この構成によれば、一対の突出片部３１，３２のうち他方を支持する幅方向範囲を小さくできるので、熱交換器２０１とブラケット２０４との結合力を確保しつつ、ブラケット２０４の小型化が図れる。
【００８４】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、ひとつの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味および範囲内でのすべての変更を含むものと解されるべきである。
【００８５】
前述の実施形態における熱交換器はブラケットを介して設置側部材６に固定されるが、設置側部材６は、車両の一部に限定されず、定置式の装置、建物の一部でもよい。
【００８６】
前述の実施形態における熱交換器は、上下方向両端部に設けられたサイドプレート３に固定されるブラケットを介して設置側部材６に連結されているが、開示の目的を達成する熱交換器１におけるサイドプレート３はこのような位置に限定されない。サイドプレート３は、熱交換器１の端部に設けられる部材であればよく、例えば、上下方向の一方側の端部、横方向の両端部、横方向の一方側の端部に設けられている部材でもよい。
【００８７】
前述の第１実施形態〜第３実施形態における熱交換器の固定装置は、挟持部材としてボルト５やリベット１０５を備えているが、これに代えてクリップを挟持部材として備える構成でもよい。この場合、クリップは第１外側支持部と第２外側支持部とを互いが接近するように挟み込むことで、ブラケットによってサイドプレート３と設置側部材６とが挟持される。クリップは、樹脂製または金属製である。
【符号の説明】
【００８８】
１，１０１,２０１…熱交換器、  ３…サイドプレート（プレート状部材）
４，１０１，２０４…ブラケット、  ５…ボルト（挟持部材）
３１，３２…突出片部、  ４０，２４０…主体部
４１，２４１…第１外側支持部、  ４２，２４２…第２外側支持部
４３，２４３…内側支持部、  ４４;２４４…中間支持部
１０５…リベット（挟持部材）
【図１】
2018197635.tif 000003
【図２】
2018197635.tif 000004
【図３】
2018197635.tif 000005
【図４】
2018197635.tif 000006
【図５】
2018197635.tif 000007
【図６】
2018197635.tif 000008
【図７】
2018197635.tif 000009
【図８】
2018197635.tif 000010
【図９】
2018197635.tif 000011
【図１０】
2018197635.tif 000012
【図１１】
2018197635.tif 000013
【図１２】
2018197635.tif 000014
【図１３】
2018197635.tif 000015
【図１４】
2018197635.tif 000016
【図１５】
2018197635.tif 000017
【図１６】
2018197635.tif 000018
【図１７】
2018197635.tif 000019
【図１８】
2018197635.tif 000020
【図１９】
2018197635.tif 000021
【図２０】
2018197635.tif 000022
【図２１】
2018197635.tif 000023
【図２２】
2018197635.tif 000024
【図２３】
2018197635.tif 000025
【図２４】
2018197635.tif 000026
【図２５】
2018197635.tif 000027
【図２６】
2018197635.tif 000028
【図２７】
2018197635.tif 000029
【図２８】
2018197635.tif 000030
【図２９】
2018197635.tif 000031
【図３０】
2018197635.tif 000032
【図３１】
2018197635.tif 000033
【図３２】
2018197635.tif 000034
【図３３】
2018197635.tif 000035
【図３４】
2018197635.tif 000036
【図３５】
2018197635.tif 000037
【図３６】
2018197635.tif 000038
【図３７】
2018197635.tif 000039
【図３８】
2018197635.tif 000040
【図３９】
2018197635.tif 000041
【図４０】
2018197635.tif 000042
【図４１】
2018197635.tif 000043